(57)【要約】【課題】利便性の高いヘアーアイロンを提供する。【解決手段】上グリップ部と、ヒンジ構造によって開閉可能に前記上グリップ部と連結された下グリップ部と、前記上グリップ部に接続され、上加熱プレートを備える上挟み部と、前記下グリップ部に接続され、前記上加熱プレートと対になって髪を挟む下加熱プレートを備える下挟み部とを備え、前記上加熱プレートは、前記上グリップ部の延在方向に対して平行である直線の周りに所定角度だけねじれ、前記下加熱プレートは、前記下グリップ部の延在方向に対して平行である直線の周りに前記所定角度だけねじれている。【選択図】図３
2020103863.tif 000002
【特許請求の範囲】
【請求項１】
上グリップ部と、
ヒンジ構造によって開閉可能に前記上グリップ部と連結された下グリップ部と、
前記上グリップ部に接続され、上加熱プレートを備える上挟み部と、
前記下グリップ部に接続され、前記上加熱プレートと対になって髪を挟む下加熱プレートを備える下挟み部と
を備え、
前記上加熱プレートは、前記上グリップ部の延在方向に対して平行である直線の周りに所定角度だけねじれ、
前記下加熱プレートは、前記下グリップ部の延在方向に対して平行である直線の周りに前記所定角度だけねじれているヘアーアイロン。
【請求項２】
前記上挟み部は、前記上グリップ部の延在方向に対して平行である直線の周りに前記所定角度だけねじれ、
前記下挟み部は、前記下グリップ部の延在方向に対して平行である直線の周りに前記所定角度だけねじれている請求項１に記載のヘアーアイロン。
【請求項３】
前記所定角度は６０〜１２０°である請求項１又は２に記載のヘアーアイロン。
【発明の詳細な説明】
【技術分野】
【０００１】
本発明は、ヘアーアイロンに関し、特に、ねじれ角式構造のヘアーアイロンに関する。
【背景技術】
【０００２】
ヘアーアイロンは、ストレートヘアーアイロンとカールヘアーアイロンとを含み、主にヘアースタイリングのために使用される。従来のストレートヘアーアイロンは、一般に、ヒンジ構造によって開閉可能である上下のボディーを含むように構成されている。上ボディーでは、上挟み部が上グリップ部に接続され、下ボディーでは、下挟み部が下グリップ部に接続されている。上プレートが上挟み部に設けられ、下プレートが下挟み部に設けられており、上プレートと下プレートとが上下で対となって髪挟み部を構成する。従来のヘアーアイロンでは、上下のプレートは平坦である。
【０００３】
例えば、特許文献１では、一種のねじれ角式構造のストレートヘアーアイロンが公開されている。このストレートヘアーアイロンは、上ボディーと該上ボディーにヒンジで連結された下ボディーとを含む。前記上ボディーは、上グリップ部と、該上グリップ部に接続された上挟み部とを備える。上挟み部は、上グリップ部に対して相対的にねじれ角αで曲がっている。前記下ボディーは、上グリップ部と合わさる下グリップ部を備える。下グリップ部は、下挟み部に接続されている。下挟み部と上挟み部とは合わさる。このストレートヘアーアイロンは、上ボディーまたは下ボディーに配置されているＰＣＢ制御板も含む。このストレートヘアーアイロンの使用時、使用者の頭が横方向に引っ張られることを防止でき、使用者が頭を支え易くなるので、使用者の体感が良くなる。このストレートヘアーアイロンでは、使用の習慣に合う構造が採用されることにより、操作性と省力化という効果を奏している。このストレートヘアーアイロンでは、上挟み部と下挟み部とがグリップ部に対してねじれているので、使用者の操作性は向上する。しかし、このストレートヘアーアイロンでは、プレートが平坦であるので、ヘアースタイリングの効果は向上しない。
【０００４】
例えば、特許文献２では、ヘアートリートメント装置の技術分野に属する新しいタイプの電熱式ヘアーアイロンが開示されている。この新しいタイプの電熱式ヘアーアイロンは、電気式のヒーター部、ボディー、及びプレートを含む。電気式のヒーター部は、ボディーの先端部に配置され、プレートは、ボディーの先端部の裏面に配置されてヒーター部分に直接またはレールを介して固定されている。上下のプレートの表面は波形であり、上下のプレートは互いに噛み合っている。この発明の新しいタイプの電熱式ヘアーアイロンは、プレートの表面を従来の平面またはＶ字形から波状の湾曲した表面に変更することにより、従来とは異なるヘアースタイリングをすることが可能である。さらに、この発明の電熱式ヘアーアイロンでは、挟み部の角度を調整できる点で便利である。しかしながら、プレートの面が平面やＶ形状から波形に変わったとしても、使用者が、手を大きく回転させなければカールのスタイリングができないと共に、しっかりとしたカールから緩やかなカールまで自在にスタイリングを行うことができない。さらに、使用者が、ヘアースタイリングの最中に動作を大きく変えなければヘアースタイリングを完成させることができないので、利便性が低い。
【先行技術文献】
【特許文献】
【０００５】
【特許文献１】中国実用新案第２０６１３７４６２号明細書
【特許文献２】中国実用新案第２０１８０６１２０号明細書
【発明の概要】
【発明が解決しようとする課題】
【０００６】
本発明の目的は、上記の従来技術の課題を考慮したねじれ角式構造のヘアーアイロンを提供することである。
【課題を解決するための手段】
【０００７】
上記課題を解決するため、本発明に係る偏角式構造のヘアーアイロンは、プレートがねじれている構造のヘアーアイロンである。このヘアーアイロンは、ヒンジ構造によって開閉可能である上下のボディーを含むように構成されている。上ボディーでは、上挟み部が上グリップ部に接続され、下ボディーでは、下挟み部が下グリップ部に接続される。上プレートが上握り部に設けられ、下プレートが下握り部に設けられており、上プレートと下プレートとが上下に対となって髪挟み部を構成する。ここで、上プレートは上グリップ部に対して所定のねじれ角（以下、「上側ねじれ角」という）をもって捩れ、下プレートは下グリップ部に対して所定のねじれ角（以下、「下側ねじれ角」という）をもって捩れている。上側ねじれ角と下側ねじれ角とは同じであってもよい。
【０００８】
上記のヘアーアイロンにおいて、上側ねじれ角および下側ねじれ角は６０〜１２０°であってもよい。
【０００９】
上記のヘアーアイロンにおいて、上ボディーの先端側と上プレートとの間には断熱層が配され、下ボディーの先端側と下プレートとの間には断熱層が配されてもよい。
【００１０】
上記のヘアーアイロンにおいて、上プレートの縁部の外側にブラシが設けられ、下プレートの縁部の外側にブラシが設けられてもよい。
【００１１】
上記のヘアーアイロンにおいて、上挟み部の端部または下挟み部の端部に補助グリップ部が設けられてもよい。
【発明の効果】
【００１２】
本発明に係るねじれ角式構造のヘアーアイロンによれば、ねじれ角をもってねじれたプレートが設けられたことによって、使用者が、手を大きく回転させずにカールのヘアースタイリングをできると共に、しっかりとしたカールから緩やかなカールまで自在にスタイリングを行うことができる。さらに、本発明に係るねじれ角式構造のヘアーアイロンによれば、使用者が、ヘアースタイリングの最中に動作を大きく変えることなくヘアースタイリングを完成させることができるので、の利便性を向上させることができる。
【図面の簡単な説明】
【００１３】
【図１】図１は、本発明の実施形態の全体構成を示す図である。
【図２】図２は、本発明のヘアーアイロンのねじれ角を説明するための図である。
【図３】図３は、本発明のヘアーアイロンのねじれ角を説明するための図である。
【図４】図４は、本発明の一実施例のヘアーアイロンを示す図である。
【発明を実施するための形態】
【００１４】
以下、図面を参照して本発明の一実施形態について説明する。
【００１５】
図１に示すように、一実施例に係るヘアーアイロンは、プレートがねじれたねじれ角（偏角）式構造であることを特徴とするヘアーアイロンである。このヘアーアイロンは、ヒンジ構造によって開閉可能である上下のボディーを含むように構成されている。上ボディーでは、上挟み部３が上グリップ部１に接続され、下ボディーでは、下挟み部４が下グリップ部２に接続されている。上プレート５が上握り部３に設けられ、下プレート６が下握り部４に設けられており、上プレート５と下プレート６とが上下に対となって髪挟み部を構成する。
【００１６】
ここで、上プレート５は上グリップ部１に対して所定のねじれ角（以下、「上側ねじれ角」という）１０をもってねじれ、下プレート６は下グリップ部２に対して所定のねじれ角（以下、「下側ねじれ角」という）１１をもってねじれている。上側ねじれ角１０と下側ねじれ角１１とは同じである。上プレート５と下プレート６とは、貼り合わされるかのように合わさっている。上プレート５と下プレート６とは、制御装置に接続されており、この制御装置により通電されて発熱する。
【００１７】
発熱効率を保証するために、上プレート５の表面は上側の発熱板における発熱面になり、下プレート６の表面は下側の発熱板における発熱面になる。即ち、上側の発熱面は、上グリップ部１に対して上側ねじれ角をもってねじれており、下側の発熱面は、下グリップ部２に対して下側ねじれ角をもってねじれている。
【００１８】
ここで、上挟み部３は上グリップ部１に対して上側ねじれ角１０をもってねじれ、下挟み４は下グリップ部２に対して下側ねじれ角１１をもってねじれている。上挟み部３と下挟み部４との双方が上記のねじれ角をもってねじれていることにより、使用者の操作性を向上でき省力化できる。
【００１９】
図２および図３に示すように、上記の上側ねじれ角１０と下側ねじれ角１１とは、６０〜１２０°である。上側ねじれ角１０は、上グリップ部１の内側にある平面、又は上プレート５の末端（上グリップグリップ部１側の端）にある平面を基準とする、上グリップ部１の枢軸（上グリップ部１の延在方向に対して平行な直線）の周りの回転方向の角度である。下側ねじれ角１１は、下グリップ部２の内側にある平面（上記の上グリップ部１の内側にある平面と対向する平面）又は下プレート６の末端（下グリップ部２側の端）にある平面を基準とする、下グリップ部２の枢軸（下グリップ部２の延在方向に対して平行な直線）の周りの回転方向の角度である。即ち、上プレート５、及び上挟み部３のねじり中心と、上グリップ１部の枢軸とは同一直線状に位置する。本実施形態のヘアーアイロンでは、上プレート５、及び上挟み部３のねじり中心と、上グリップ部１の中心線（延在方向に対して直交する断面の中心を通る線）とが同一直線状に位置する。下プレート６、及び下挟み部４のねじり中心と、下グリップ部２の枢軸とは同一直線状に位置する。本実施形態のヘアーアイロンでは、下プレート６、及び下挟み部４のねじり中心と、下グリップ部２の中心線（延在方向に対して直交する断面の中心を通る線）とが同一直線状に位置する。
【００２０】
上ボディーの上挟み部３と上プレート５との間に断熱材が配置されている。下ボディーの下挟み部４と下プレート６との間に断熱材が配置されている。上ボディー内の断熱材は、上プレート５から上挟み部３の樹脂製のハウジングへの伝熱を遮断することにより、上挟み部３のハウジングと上プレート５との間に冷熱の温度差を形成する。下ボディー内の断熱材は、下プレート６から下挟み部４の樹脂製のハウジングへの伝熱を遮断することにより、下挟み部４のハウジングと下プレート６との間に冷熱の温度差を形成する。
上下の断熱材は、冷性のゲルまたは断熱性のフェルトである。
【００２１】
図４に示すように、他の実施形態のヘアーアイロンは、上プレート５の縁の外側の樹脂部分にブラシ８が取り付けられ、下プレート６の縁の外側の樹脂部分にブラシ９が取り付けられている。上プレート５と下プレート６とによって髪が挟まれる時、ブラシ８とブラシ９とが噛み合っている場合でもブラシ８とブラシ９とが噛み合っていない場合でも、髪はブラシ８、９により梳かれる。ブラシ８は、上プレート５の周囲に１周または２周取付けることもできる。また、ブラシ９は、下プレート６の周囲に１周または２周取付けることもできる。
【００２２】
上ボディーの上挟み部３の先端と下ボディーの下挟み部４の先端とには、指掛け部７が設けられている。本実施形態のヘアーアイロンの使用時には、使用者は、一方の手で上グリップ部１および下グリップ部２を持ち、他方の手で指掛け部７を持つことにより、上プレート５と下プレート６とによる髪を挟む効果を強めることができる。
【００２３】
使用者は、上グリップ部１と下グリップ部２とを持って上挟み部３と下挟み部４とを開き、髪を上プレート５と下プレート６との間の髪挟み位置に入れ、電源を起動して（事前に起動でも可）上プレート５と下プレート６とを加熱し、上プレート５と下プレート６とを閉じてそのまま髪を上プレート５と上プレート６との間から引き出すことにより、カールのヘアースタイリングができる。
【００２４】
なお、以上に説明した実施形態は、本発明の理解を容易にするために記載されたものであって、本発明を限定するために記載されたものではない。したがって、上記の実施形態において開示された各要素は、本発明の技術的範囲に属する全ての設計変更や均等物をも含む趣旨である。
【符号の説明】
【００２５】
１  上グリップ部、２  下グリップ部、３  上挟み部、４  下挟み部、５  上プレート、６  下プレート、７  指掛け部、８  ブラシ、９  ブラシ、１０  上側ねじれ角、１１  下側ねじれ角
【図１】
2020103863.tif 000003
【図２】
2020103863.tif 000004
【図３】
2020103863.tif 000005
【図４】
2020103863.tif 000006